(57)【要約】      （修正有）【課題】外部装置への多心光コネクタの接続を容易にでき、且つ光ファイバテープ心線の余剰分を低減できる光配線部材を提供する。【解決手段】光配線部材１Ａは、複数の光導波路２０が配線されている配線部Ｓ１を含む内部空間Ｓ、及び、内部空間に通じる開口１３ｂ、１４ｂを有する筐体１０と、一端が内部空間に配置され、他端に多心光コネクタ４１、４２が取り付けられた複数の光ファイバテープ心線３１、３２と、を備える。複数の光導波路は、対応する光ファイバテープ心線ごとに集約された集約端部２３、２５を有する。集約端部は、筐体の内部空間において配線部の縁部に位置決めされるとともに、対応する光ファイバテープ心線の一端と繋がっている。光配線部材は、配線部の縁部と開口との間に配置されて光ファイバテープ心線に固定され、光ファイバテープ心線の長手方向にスライド可能に取り付けられたスライド部５１、５２を更に備える。【選択図】図１
2019066768.tif 000002
【特許請求の範囲】
【請求項１】
複数の光導波路が配線されている配線部を含む内部空間、及び、前記内部空間に通じる開口を有する筐体と、
一端が前記内部空間に配置され、他端に多心光コネクタが取り付けられた複数の光ファイバテープ心線と、を備え、
前記複数の光導波路は、対応する前記光ファイバテープ心線ごとに集約された集約端部を有し、
前記集約端部は、前記筐体の内部空間において前記配線部の縁部に位置決めされるとともに、対応する前記光ファイバテープ心線の一端と繋がっており、
前記配線部の縁部と前記開口との間に配置されて前記光ファイバテープ心線に固定され、前記光ファイバテープ心線の長手方向にスライド可能に取り付けられたスライド部を更に備える、光配線部材。
【請求項２】
前記配線部の前記縁部と前記スライド部との間に設けられ、前記スライド部と当接して前記スライド部の前記縁部側への移動を制限する第１の移動制限部を更に備える、請求項１に記載の光配線部材。
【請求項３】
前記第１の移動制限部に近接する位置にて前記スライド部を係止する第１のラッチ機構を更に備える、請求項２に記載の光配線部材。
【請求項４】
前記第１の移動制限部に近接する位置にて前記スライド部を吸着する第１の吸着部を更に備える、請求項２に記載の光配線部材。
【請求項５】
前記スライド部と前記開口との間に設けられ、前記スライド部と当接して前記スライド部の前記開口側への移動を制限する第２の移動制限部を更に備える、請求項１〜４のいずれか１項に記載の光配線部材。
【請求項６】
前記第２の移動制限部に近接する位置にて前記スライド部を係止する第２のラッチ機構を更に備える、請求項５に記載の光配線部材。
【請求項７】
前記第２の移動制限部に近接する位置にて前記スライド部を吸着する第２の吸着部を更に備える、請求項５に記載の光配線部材。
【発明の詳細な説明】
【技術分野】
【０００１】
本発明は、光配線部材に関する。
【背景技術】
【０００２】
特許文献１，２には、複数の光ファイバが入力端と出力端とで互いに異なる配置で接続される光接続装置が開示されている。これらの光接続装置は、テープ状を含む束状の光ファイバを有する光ファイバ整列部と、交差又は積み重ねにより立体的に配線された光ファイバを有する配線部とを備えている。
【先行技術文献】
【特許文献】
【０００３】
【特許文献１】特開平１１−２５８４４８号公報
【特許文献２】特開２００４−４３８８号公報
【発明の概要】
【発明が解決しようとする課題】
【０００４】
例えば光通信の基地局もしくはデータセンターといった、多数の光通信配線が敷設される施設においては、多数の光導波路（例えば光ファイバ）が配設された光配線部材が必要とされる。例えば、シャッフル光配線部材では、複数の光導波路群と、別の複数の光導波路群とを相互に光結合する際に、一方の光導波路群から延出する複数の光導波路のそれぞれが、互いに異なる他方の光導波路群に結合される。このような光配線部材においては、外部装置への接続の為に、複数の光導波路群としての光ファイバテープ心線の先端に多心光コネクタ（例えばＭＴコネクタ）が取り付けられる。そして、多数の光導波路が相互に重なりながら配設されて光ファイバテープ心線同士の所定の光結合を実現する配線部に、光ファイバテープ心線の基端が固定される。光ファイバテープ心線の先端は、配線部を収容する筐体の外部に延出する。
【０００５】
上記の構成を備える光配線部材を外部装置に接続する際、外部装置の被接続部（光レセプタクル）と光配線部材の筐体との距離に対して光ファイバテープ心線の長さの余裕が少ないと、外部装置への多心光コネクタの接続が容易ではなく、光ファイバテープ心線に過剰な張力が与えられ、光ファイバテープ心線を構成する各光ファイバが断線するおそれがある。一方、外部装置の被接続部と光配線部材の筐体との距離に対して光ファイバテープ心線の長さに十分な余裕を持たせると、外部装置への多心光コネクタの接続は容易になり各光ファイバの断線は抑制されるものの、光ファイバテープ心線の余剰分に撓みが生じるので、この余剰分が他の部品等に干渉しないように広いスペースが必要になるという問題が生じる。
【０００６】
本発明は、このような問題点に鑑みてなされたものであり、外部装置への多心光コネクタの接続を容易にでき、且つ光ファイバテープ心線の余剰分を低減できる光配線部材を提供することを目的とする。
【課題を解決するための手段】
【０００７】
上述した課題を解決するために、一実施形態に係る光配線部材は、複数の光導波路が配線されている配線部を含む内部空間、及び、内部空間に通じる開口を有する筐体と、一端が内部空間に配置された光ファイバテープ心線、及び、光ファイバテープ心線の他端に取り付けられた多心光コネクタを有する複数の光ファイバテープ心線付き多心光コネクタと、を備える。複数の光導波路は、対応する光ファイバテープ心線付き多心光コネクタごとに集約された集約端部を有する。集約端部は、筐体の内部空間において配線部の縁部に位置決めされるとともに、対応する光ファイバテープ心線付き多心光コネクタの光ファイバテープ心線の一端に繋がっている。光配線部材は、配線部の縁部と開口との間に配置されて光ファイバテープ心線に固定され、光ファイバテープ心線の長手方向にスライド可能に取り付けられたスライド部を更に備える。
【発明の効果】
【０００８】
本発明による光配線部材によれば、外部装置への多心光コネクタの接続を容易にでき、且つ光ファイバテープ心線の余剰分を低減できる。
【図面の簡単な説明】
【０００９】
【図１】図１の（ａ）及び（ｂ）は、本発明の第１実施形態に係る光配線部材の構成を示す断面図である。
【図２】図２の（ａ）及び（ｂ）は、光配線部材の効果を説明する断面図であって、図１の（ｂ）と同じ断面を示す。
【図３】図３の（ａ）及び（ｂ）は、第２実施形態に係る光配線部材の構成を示す断面図である。
【図４】図４の（ａ）及び（ｂ）は、光配線部材の動作を示す断面図である。
【図５】図５の（ａ）及び（ｂ）は、光配線部材の動作を示す断面図である。
【図６】図６の（ａ）及び（ｂ）は、比較例としての光配線部材の構成を示す断面図である。
【図７】図７の（ａ）及び（ｂ）は、比較例としての光配線部材を外部装置に取り付ける様子を示す断面図である。
【発明を実施するための形態】
【００１０】
［本発明の実施形態の説明］
最初に、本発明の実施形態の内容を列記して説明する。一実施形態に係る光配線部材は、複数の光導波路が配線されている配線部を含む内部空間、及び、内部空間に通じる開口を有する筐体と、一端が内部空間に配置された光ファイバテープ心線、及び、光ファイバテープ心線の他端に取り付けられた多心光コネクタを有する複数の光ファイバテープ心線付き多心光コネクタと、を備える。複数の光導波路は、対応する光ファイバテープ心線付き多心光コネクタごとに集約された集約端部を有する。集約端部は、筐体の内部空間において配線部の縁部に位置決めされるとともに、対応する光ファイバテープ心線付き多心光コネクタの光ファイバテープ心線の一端に繋がっている。光配線部材は、配線部の縁部と開口との間に配置されて光ファイバテープ心線に固定され、光ファイバテープ心線の長手方向にスライド可能に取り付けられたスライド部を更に備える。
【００１１】
この光配線部材では、スライド部が配線部の縁部と筐体の開口との間に配置されている。そして、スライド部は、光ファイバテープ心線に固定され、光ファイバテープ心線の長手方向にスライド可能とされている。このスライド部を筐体の開口側に移動させると、筐体内部において光ファイバテープ心線が伸張する一方、筐体外部の光ファイバテープ心線の長さ（言い換えると、筐体開口と多心光コネクタとの距離）が長くなる。従って、外部装置の被接続部と光配線部材の筐体との距離に対して光ファイバテープ心線の長さに十分な余裕を持たせることができ、外部装置への多心光コネクタの接続が容易になり、各光ファイバの断線が抑制される。また、スライド部を配線部の縁部側に移動させると、筐体内部において光ファイバテープ心線が弛む一方、筐体外部の光ファイバテープ心線の長さ（言い換えると、筐体開口と多心光コネクタとの距離）が短くなる。従って、外部装置の被接続部と光配線部材の筐体との距離に対する光ファイバテープ心線の長さの余剰分を低減し、該余剰分を他の部品等に干渉させないためのスペースを小さくすることができる。
【００１２】
上記の光配線部材は、配線部の縁部とスライド部との間に設けられ、スライド部と当接してスライド部の縁部側への移動を制限する第１の移動制限部を更に備えてもよい。これにより、スライド部が配線部の縁部側へ過度にスライドすることによる光ファイバテープ心線の過度な曲げを抑制し、各光ファイバにおける曲げ損失の増大を抑えることができる。この場合、光配線部材は、第１の移動制限部に近接する位置にてスライド部を係止する第１のラッチ機構を更に備えてもよい。或いは、光配線部材は、第１の移動制限部に近接する位置にてスライド部を吸着する第１の吸着部を更に備えてもよい。例えばこれらのうち何れかの構成によって、外部装置に多心光コネクタが接続された状態においてスライド部が配線部の縁部側に移動した状態（すなわち光ファイバテープ心線の撓みが低減された状態）を維持することができる。
【００１３】
上記の光配線部材は、スライド部と開口との間に設けられ、スライド部と当接してスライド部の開口側への移動を制限する第２の移動制限部を更に備えてもよい。これにより、スライド部が筐体開口側へ過度にスライドすることによる各光ファイバの断線を抑制できる。この場合、光配線部材は、第２の移動制限部に近接する位置にてスライド部を係止する第２のラッチ機構を更に備えてもよい。或いは、光配線部材は、第２の移動制限部に近接する位置にてスライド部を吸着する第２の吸着部を更に備えてもよい。例えばこれらのうち何れかの構成によって、スライド部が筐体開口側に移動した状態を維持し、外部装置の被接続部に多心光コネクタを接続する際の作業性を向上することができる。
【００１４】
［本発明の実施形態の詳細］
本発明の実施形態に係る光配線部材の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１５】
（第１実施形態）
図１の（ａ）及び（ｂ）は、本発明の第１実施形態に係る光配線部材１Ａの構成を示す断面図である。図１の（ａ）及び（ｂ）には、理解の容易の為、ＸＹＺ直交座標系が示されている。図１の（ａ）は、ＸＹ平面に沿った断面図である。また、図１の（ｂ）は、ＸＺ平面に沿った断面図である。光配線部材１Ａは、筐体１０と、Ｍ枚（Ｍは２以上の整数、本実施形態ではＭ＝４）の光ファイバテープ心線３１と、Ｎ枚（Ｎは２以上の整数、本実施形態ではＮ＝４）の光ファイバテープ心線３２と、Ｍ個の多心光コネクタ４１と、Ｎ個の多心光コネクタ４２と、Ｍ個のスライド部５１と、Ｎ個のスライド部５２とを備えている。
【００１６】
筐体１０は、底板１１、天板１２、一対の端壁１３，１４、及び一対の側壁１５，１６を有する略直方体状の中空容器である。底板１１及び天板１２は、四角形の平板状を呈する。底板１１及び天板１２は、筐体１０の高さ方向（Ｚ方向）に並んでおり、該Ｚ方向において互いに対向する内面１１ａ，１２ａ（図１の（ｂ）を参照）をそれぞれ有する。底板１１及び天板１２の各内面１１ａ，１２ａは、ＸＹ平面に沿って互いに平行に延びている。
【００１７】
一対の端壁１３及び１４は、底板１１と天板１２との間において前後方向（Ｘ方向）に並んで配置されており、底板１１及び天板１２のＹ方向における一端から他端まで延びている。端壁１３及び１４は、Ｘ方向において互いに対向する内面１３ａ，１４ａをそれぞれ有する。端壁１３及び１４の各内面１３ａ，１４ａは、ＹＺ平面に沿って互いに平行に延びており、底板１１及び天板１２の各内面１１ａ，１２ａに対して垂直である。
【００１８】
一対の側壁１５，１６は、底板１１と天板１２との間において、高さ方向（Ｚ方向）及び前後方向（Ｘ方向）と交差するＹ方向に並んで配置されており、底板１１及び天板１２のＸ方向における一端から他端まで延びている。側壁１５，１６は、Ｙ方向において互いに対向する内面１５ａ，１６ａをそれぞれ有する。側壁１５及び１６の各内面１５ａ，１６ａは、互いに平行に延びており、底板１１及び天板１２の各内面１１ａ，１２ａ、及び端壁１３及び１４の各内面１３ａ，１４ａに対して垂直である。
【００１９】
筐体１０は、内部空間Ｓを有する。内部空間Ｓは、上述した底板１１の内面１１ａ、天板１２の内面１２ａ、端壁１３，１４の各内面１３ａ，１４ａ、及び側壁１５，１６の各内面１５ａ，１６ａによって画成された、略直方体状の空間である。内部空間ＳのＺ方向の高さは、Ｘ方向の長さ、及びＹ方向の幅よりも小さい。一例では、内部空間ＳのＺ方向の高さは３ｍｍ〜５０ｍｍの範囲内であり、Ｘ方向の長さは５０ｍｍ〜５００ｍｍの範囲内であり、Ｙ方向の幅は５０ｍｍ〜５００ｍｍの範囲内である。
【００２０】
内部空間Ｓは、配線部Ｓ１を収容する（含む）。端壁１３には、Ｍ個の開口１３ｂが形成されている。Ｍ個の開口１３ｂは、端壁１３をＸ方向に貫通し、筐体１０の外部から内部空間Ｓに通じる。Ｍ個の開口１３ｂは、Ｙ方向に沿って並んで形成されている。各開口１３ｂには、光ファイバテープ心線３１が挿通されている。すなわち、光ファイバテープ心線３１の先端部は筐体１０の外部に位置し、基端部は内部空間Ｓに位置する。また、端壁１４には、Ｎ個の開口１４ｂが形成されている。Ｎ個の開口１４ｂは、端壁１４をＸ方向に貫通し、筐体１０の外部から内部空間Ｓに通じる。Ｎ個の開口１４ｂは、Ｙ方向に沿って並んで形成されている。各開口１４ｂには、光ファイバテープ心線３２が挿通されている。すなわち、光ファイバテープ心線３２の先端部は筐体１０の外部に位置し、基端部は内部空間Ｓに位置する。
【００２１】
配線部Ｓ１は、内部空間Ｓの前後方向（Ｘ方向）における中央に配置されている。すなわち、配線部Ｓ１の端壁１３側の縁部ＳａとＭ個の開口１３ｂとの間には、所定の間隔が設けられている。配線部Ｓ１の縁部ＳａとＭ個の開口１３ｂとの間の領域は、光ファイバテープ心線３１を弛ませた状態で配置することができる弛み収納領域Ｓ２となっている。また、配線部Ｓ１の端壁１４側の縁部ＳｂとＮ個の開口１４ｂとの間にも、所定の間隔が設けられている。配線部Ｓ１の縁部ＳｂとＮ個の開口１４ｂとの間の領域は、光ファイバテープ心線３２を弛ませた状態で配置することができる弛み収納領域Ｓ３となっている。なお、本実施形態では、配線部Ｓ１と弛み収納領域Ｓ２，Ｓ３との間に仕切り等は存在していないが、配線部Ｓ１と弛み収納領域Ｓ２，Ｓ３との間には仕切り等が配置されてもよい。
【００２２】
配線部Ｓ１に配置されている複数の光導波路（光ファイバ）２０のそれぞれは、一端において光ファイバテープ心線３１のいずれかに対応している。複数の光ファイバ２０は、該一端において、対応する光ファイバテープ心線３１ごとに集約された集約端部２３を有する。また、複数の光ファイバ２０のそれぞれは、他端において光ファイバテープ心線３２のいずれかに対応している。複数の光ファイバ２０は、該他端において、対応する光ファイバテープ心線３２ごとに集約された集約端部２５を有する。集約端部２３，２５は、対応する光ファイバテープ心線３１，３２ごとにテープ化（リボン化）されたテープ化端部であってもよい。その場合、集約端部２３，２５では、複数の光ファイバ２０がＹ方向に沿って配列される。
【００２３】
図１に示す例では、配線部Ｓ１において（Ｍ×Ｎ）本の光ファイバ２０が互いに立体的に交差して配置されている。光ファイバ２０は、それぞれの一端側において、対応する光ファイバテープ心線３１毎に光ファイバ２０がＮ本ずつ集約されたＭ個の集約端部２３を形成している。また、光ファイバ２０は、それぞれの他端側において、対応する光ファイバテープ心線３２毎に光ファイバ２０がＭ本ずつ集約されたＮ個の集約端部２５を形成している。各集約端部２３では、Ｎ本の光ファイバ２０がＹ方向に沿って配列されている。各集約端部２５では、Ｍ本の光ファイバ２０がＹ方向に沿って配列されている。各集約端部２３のＮ本の光ファイバ２０それぞれは、Ｎ個の集約端部２５それぞれに向けて延びている。言い換えると、各集約端部２５のＭ本の光ファイバ２０それぞれは、Ｍ個の集約端部２３それぞれに向けて延びている。このような光ファイバ２０の配線形態を、シャッフル光配線と称することがある。
【００２４】
なお、配線部Ｓ１の配線形態はこのようなシャッフル光配線に限られない。（Ｍ×Ｎ）の数は光ファイバ２０の総数と異なってもよい。配線部Ｓ１は、Ｍ個の集約端部２３とＮ個の集約端部２５との間で様々な配線形態を有することができ、その形態によっては、或る集約端部２３と或る集約端部２５とを結ぶ２以上の光ファイバ２０がテープ化されてもよい。
【００２５】
集約端部２３，２５は、筐体１０の内部空間Ｓにおいて位置決めされている。本実施形態では、集約端部２３，２５は、配線部Ｓ１の縁部に位置決めされる。すなわち、Ｍ個の集約端部２３は、配線部Ｓ１の縁部Ｓａに位置決めされており、Ｎ個の集約端部２５は、配線部Ｓ１の縁部Ｓｂに位置決めされている。集約端部２３，２５は、例えば、筐体１０に固定可能な固定部材を介して筐体１０に固定されてもよいし、接着剤等によって筐体１０に固定されてもよい。
【００２６】
各光ファイバテープ心線３１の基端部は、対応する集約端部２３と繋がっている。各光ファイバテープ心線３１の基端部と各開口１３ｂとの間の部分は、弛み収納領域Ｓ２に配置されている。各光ファイバテープ心線３１の先端部には、多心光コネクタ４１が取り付けられている。各光ファイバテープ心線３１は、Ｎ本の光ファイバが一方向に配列された状態で樹脂（例えば紫外線硬化樹脂）により固められ、テープ化（リボン化）されている。光ファイバテープ心線３１における光ファイバの配列方向は、集約端部２３における光ファイバ２０の配列方向と同じである。Ｍ枚の光ファイバテープ心線３１は、光ファイバの配列方向（すなわち光ファイバテープ心線３１の幅方向）に沿って互いに離間した状態で配置されている。
【００２７】
多心光コネクタ４１は、例えばＭＴコネクタである。多心光コネクタ４１は、各光ファイバテープ心線３１を構成するＮ本の光ファイバを一括して接続する。多心光コネクタ４１は、光配線部材１Ａが取り付けられる外部装置の光レセプタクルに接続される。
【００２８】
各光ファイバテープ心線３２の基端部は、対応する集約端部２５と繋がっている。各光ファイバテープ心線３２の基端部と各開口１４ｂとの間の部分は、弛み収納領域Ｓ３に配置されている。各光ファイバテープ心線３２の先端部には、多心光コネクタ４２が取り付けられている。各光ファイバテープ心線３２は、Ｍ本の光ファイバが一方向に配列された状態で樹脂（例えば紫外線硬化樹脂）により固められ、テープ化（リボン化）されている。光ファイバテープ心線３２における光ファイバの配列方向は、集約端部２５における光ファイバ２０の配列方向と同じである。Ｎ枚の光ファイバテープ心線３２は、光ファイバの配列方向（すなわち光ファイバテープ心線３２の幅方向）に沿って互いに離間した状態で配置されている。
【００２９】
多心光コネクタ４２は、例えばＭＴコネクタである。多心光コネクタ４２は、各光ファイバテープ心線３２を構成するＭ本の光ファイバを一括して接続する。多心光コネクタ４２は、光配線部材１Ａが取り付けられる外部装置の光レセプタクルに接続される。
【００３０】
Ｍ個のスライド部５１のそれぞれは、弛み収納領域Ｓ２において、配線部Ｓ１の縁部Ｓａと、対応する開口１３ｂとの間に配置されている。各スライド部５１は、対応する光ファイバテープ心線３１の中間部分に固定されている。一例では、各スライド部５１は、対応する光ファイバテープ心線３１の中間部分を把持する。各スライド部５１は、筐体１０に対して相対的に各光ファイバテープ心線３１の長手方向（本実施形態ではＸ方向）にスライド可能なように、底板１１及び天板１２の少なくとも一方に取り付けられている。各光ファイバテープ心線３１はその一部においてスライド部５１に固定されているので、スライド部５１がＸ方向に移動すると、光ファイバテープ心線３１の該一部も同様に移動する。これにより、開口１３ｂを起点とする光ファイバテープ心線３１の長さ（口出し長）が調整される。
【００３１】
Ｎ個のスライド部５２のそれぞれは、弛み収納領域Ｓ３において、配線部Ｓ１の縁部Ｓｂと、対応する開口１４ｂとの間に配置されている。各スライド部５２は、対応する光ファイバテープ心線３２の中間部分に固定されている。一例では、各スライド部５２は、対応する光ファイバテープ心線３２の中間部分を把持する。各スライド部５２は、筐体１０に対して相対的に各光ファイバテープ心線３２の長手方向（本実施形態ではＸ方向）にスライド可能なように、底板１１及び天板１２の少なくとも一方に取り付けられている。各光ファイバテープ心線３２はその一部においてスライド部５２に固定されているので、スライド部５２がＸ方向に移動すると、光ファイバテープ心線３２の該一部も同様に移動する。これにより、開口１４ｂを起点とする光ファイバテープ心線３２の長さ（口出し長）が調整される。
【００３２】
以上の構成を備える本実施形態の光配線部材１Ａによって得られる効果について、従来の光配線部材が有する課題と共に説明する。図６の（ａ）及び（ｂ）は、比較例としての光配線部材１００の構成を示す断面図である。図６の（ａ）はＸＹ平面に沿った断面図であり、図６の（ｂ）はＸＺ平面に沿った断面図である。光配線部材１００は、弛み収納領域Ｓ２，Ｓ３及びスライド部５１，５２を備えない点を除き、本実施形態の光配線部材１Ａと同様の構成を備える。
【００３３】
図７の（ａ）及び（ｂ）は、この光配線部材１００を外部装置に取り付ける様子を示す断面図である。図７の（ａ）に示されるように、光配線部材１００を外部装置に取り付ける際、外部装置のボード６０に実装された被接続部（光レセプタクル）６１，６２と筐体１０との距離に対して光ファイバテープ心線３１，３２の長さの余裕が少ないと、被接続部６１，６２への多心光コネクタ４１，４２の接続が容易ではなく、光ファイバテープ心線３１，３２に過剰な張力や局所的且つ大きな曲げが与えられ（図のＡ部分）、光ファイバテープ心線３１，３２を構成する各光ファイバが断線するおそれがある。一方、図７の（ｂ）に示されるように、ボード６０に実装された被接続部６１，６２と筐体１０との距離に対して光ファイバテープ心線３１，３２の長さに十分な余裕を持たせると、被接続部６１，６２への多心光コネクタ４１，４２の接続は容易になり各光ファイバの断線は抑制されるものの、光ファイバテープ心線３１，３２の余剰分に撓みが生じるので（図のＢ部分）、この余剰分が他の部品等に干渉しないように広いスペースが必要になるという問題が生じる。
【００３４】
本実施形態の光配線部材１Ａによれば、このような問題を解決することができる。図２の（ａ）及び（ｂ）は、光配線部材１Ａの効果を説明する断面図であって、図１の（ｂ）と同じ断面を示す。前述したように、本実施形態の光配線部材１Ａでは、スライド部５１が配線部Ｓ１の縁部Ｓａと筐体１０の開口１３ｂとの間に配置されている。そして、スライド部５１は、光ファイバテープ心線３１に固定され、光ファイバテープ心線３１の長手方向にスライド可能とされている。同様に、スライド部５２が配線部Ｓ１の縁部Ｓｂと筐体１０の開口１４ｂとの間に配置されている。そして、スライド部５２は、光ファイバテープ心線３２に固定され、光ファイバテープ心線３２の長手方向にスライド可能とされている。
【００３５】
図２の（ａ）に示されるように、スライド部５１を筐体１０の開口１３ｂ側に移動させると、筐体１０内部において光ファイバテープ心線３１が伸張する一方、筐体１０外部の光ファイバテープ心線３１の長さ（言い換えると、開口１３ｂと多心光コネクタ４１との距離）が長くなる。従って、外部装置のボード６０に実装された被接続部（光レセプタクル）６１と筐体１０との距離に対して光ファイバテープ心線３１の長さに十分な余裕を持たせることができ、被接続部６１への多心光コネクタ４１の接続が容易になり、多心光コネクタ４１を構成する各光ファイバの断線が抑制される。
【００３６】
同様に、スライド部５２を筐体１０の開口１４ｂ側に移動させると、筐体１０内部において光ファイバテープ心線３２が伸張する一方、筐体１０外部の光ファイバテープ心線３２の長さ（言い換えると、開口１４ｂと多心光コネクタ４２との距離）が長くなる。従って、ボード６０に実装された被接続部（光レセプタクル）６２と筐体１０との距離に対して光ファイバテープ心線３２の長さに十分な余裕を持たせることができ、被接続部６２への多心光コネクタ４２の接続が容易になり、多心光コネクタ４２を構成する各光ファイバの断線が抑制される。
【００３７】
また、図２の（ｂ）に示されるように、スライド部５１を配線部Ｓ１の縁部Ｓａ側に移動させると、筐体１０内部において光ファイバテープ心線３１が弛む一方、筐体１０外部の光ファイバテープ心線３１の長さが短くなる。従って、外部装置のボード６０に実装された被接続部６１と配線部Ｓ１材の筐体１０との距離に対する光ファイバテープ心線３１の長さの余剰分を低減し、該余剰分を他の部品等に干渉させないためのスペースを小さくすることができる。なお、筐体１０内部において弛んだ光ファイバテープ心線３１は、弛み収納領域Ｓ２に収納される。
【００３８】
同様に、スライド部５２を配線部Ｓ１の縁部Ｓｂ側に移動させると、筐体１０内部において光ファイバテープ心線３２が弛む一方、筐体１０外部の光ファイバテープ心線３２の長さが短くなる。従って、ボード６０に実装された被接続部６２と配線部Ｓ１材の筐体１０との距離に対する光ファイバテープ心線３２の長さの余剰分を低減し、該余剰分を他の部品等に干渉させないためのスペースを小さくすることができる。なお、筐体１０内部において弛んだ光ファイバテープ心線３２は、弛み収納領域Ｓ３に収納される。
【００３９】
（第２実施形態）
続いて、本発明の第２実施形態に係る光配線部材１Ｂについて説明する。図３の（ａ）及び（ｂ）は、第２実施形態に係る光配線部材１Ｂの構成を示す断面図である。図４の（ａ）及び（ｂ）、並びに図５の（ａ）及び（ｂ）は、光配線部材１Ｂの動作を示す断面図である。これらの図には、理解の容易の為、ＸＹＺ直交座標系が示されている。図３〜図５の（ａ）は、ＸＹ平面に沿った断面図である。図３〜図５の（ｂ）は、ＸＺ平面に沿った断面図である。本実施形態の光配線部材１Ｂは、スライド部５１，５２の形状が異なる点、及び移動制限部（ストッパ）５３〜５６を備える点を除き、上述した第１実施形態に係る光配線部材１Ａと同様の構成を備える。
【００４０】
移動制限部５３は、本実施形態における第１の移動制限部である。すなわち、移動制限部５３は、配線部Ｓ１の縁部Ｓａとスライド部５１との間において筐体１０（例えば底板１１及び天板１２の少なくとも一方）に固定され、図４の（ａ）及び（ｂ）に示されるように、スライド部５１と当接してスライド部５１の縁部Ｓａ側への移動を制限する。移動制限部５３は、例えば、一枚の板材に、Ｍ枚の光ファイバテープ心線３１をそれぞれ挿通するＭ個の開口が形成されてなる。スライド部５１の幅及び高さの少なくとも一方がそれらの開口よりも大きいことにより、スライド部５１が移動制限部５３に当接し、縁部Ｓａ側への移動が規制される。
【００４１】
移動制限部５４もまた、本実施形態における第１の移動制限部である。移動制限部５４は、配線部Ｓ１の縁部Ｓｂとスライド部５２との間において筐体１０（例えば底板１１及び天板１２の少なくとも一方）に固定され、図４の（ａ）及び（ｂ）に示されるように、スライド部５２と当接してスライド部５２の縁部Ｓｂ側への移動を制限する。移動制限部５４は、例えば、一枚の板材に、Ｎ枚の光ファイバテープ心線３２をそれぞれ挿通するＮ個の開口が形成されてなる。スライド部５２の幅及び高さの少なくとも一方がそれらの開口よりも大きいことにより、スライド部５２が移動制限部５４に当接し、縁部Ｓｂ側への移動が規制される。
【００４２】
移動制限部５５は、本実施形態における第２の移動制限部である。すなわち、移動制限部５５は、配線部Ｓ１の縁部Ｓａとスライド部５１との間において筐体１０（例えば底板１１及び天板１２の少なくとも一方）に固定され、図５の（ａ）及び（ｂ）に示されるように、スライド部５１と当接してスライド部５１の開口１３ｂ側への移動を制限する。移動制限部５５は、例えば、一枚の板材に、Ｍ枚の光ファイバテープ心線３１をそれぞれ挿通するＭ個の開口が形成されてなる。スライド部５１の幅及び高さの少なくとも一方がそれらの開口よりも大きいことにより、スライド部５１が移動制限部５５に当接し、開口１３ｂ側への移動が規制される。
【００４３】
移動制限部５６もまた、本実施形態における第２の移動制限部である。移動制限部５６は、配線部Ｓ１の縁部Ｓｂとスライド部５２との間において筐体１０（例えば底板１１及び天板１２の少なくとも一方）に固定され、図５の（ａ）及び（ｂ）に示されるように、スライド部５２と当接してスライド部５２の開口１４ｂ側への移動を制限する。移動制限部５６は、例えば、一枚の板材に、Ｎ枚の光ファイバテープ心線３１をそれぞれ挿通するＮ個の開口が形成されてなる。スライド部５２の幅及び高さの少なくとも一方がそれらの開口よりも大きいことにより、スライド部５２が移動制限部５６に当接し、開口１４ｂ側への移動が規制される。
【００４４】
本実施形態に係る光配線部材１Ｂは、移動制限部５３に近接する位置にてスライド部５１を係止するラッチ機構を更に備えてもよい。同様に、光配線部材１Ｂは、移動制限部５４に近接する位置にてスライド部５２を係止するラッチ機構を更に備えてもよい。これらのラッチ機構は、本実施形態における第１のラッチ機構である。また、本実施形態に係る光配線部材１Ｂは、移動制限部５５に近接する位置にてスライド部５１を係止するラッチ機構を更に備えてもよい。同様に、光配線部材１Ｂは、移動制限部５６に近接する位置にてスライド部５２を係止するラッチ機構を更に備えてもよい。これらのラッチ機構は、本実施形態における第２のラッチ機構である。
【００４５】
或いは、本実施形態に係る光配線部材１Ｂは、移動制限部５３に近接する位置にてスライド部５１を吸着する吸着部を更に備えてもよい。同様に、光配線部材１Ｂは、移動制限部５４に近接する位置にてスライド部５２を吸着する吸着部を更に備えてもよい。これらの吸着部は、本実施形態における第１の吸着部である。また、本実施形態に係る光配線部材１Ｂは、移動制限部５５に近接する位置にてスライド部５１を吸着する吸着部を更に備えてもよい。同様に、光配線部材１Ｂは、移動制限部５６に近接する位置にてスライド部５２を吸着する吸着部を更に備えてもよい。これらの吸着部は、本実施形態における第２の吸着部である。これらの吸着部としては、例えば磁石が用いられる。
【００４６】
本実施形態の光配線部材１Ｂは、スライド部５１，５２を備えるので、前述した第１実施形態と同様の効果を奏することができる。加えて、本実施形態の光配線部材１Ｂは、移動制限部５３，５４を更に備える。これにより、スライド部５１，５２が配線部Ｓ１の縁部Ｓａ，Ｓｂ側へ過度にスライドすることによる光ファイバテープ心線３１，３２の過度な曲げを抑制し、各光ファイバにおける曲げ損失の増大を抑えることができる。また、本実施形態の光配線部材１Ｂは、移動制限部５５，５６を更に備える。これにより、スライド部５１，５２が開口１３ｂ，１４ｂ側へ過度にスライドすることによる各光ファイバの断線を抑制できる。
【００４７】
また、本実施形態のように、光配線部材１Ｂは、移動制限部５３，５４にそれぞれ近接する位置にてスライド部５１，５２を係止するラッチ機構を更に備えてもよい。或いは、光配線部材１Ｂは、移動制限部５３，５４にそれぞれ近接する位置にてスライド部５１，５２を吸着する吸着部を更に備えてもよい。例えばこれらのうち何れかの構成によって、被接続部６１，６２に多心光コネクタ４１，４２がそれぞれ接続された状態においてスライド部５１，５２が配線部Ｓ１の縁部Ｓａ，Ｓｂ側にそれぞれ移動した状態（すなわち光ファイバテープ心線３１，３２の撓みが低減された状態、図４を参照）を維持し、スライド部５１，５２が意図せず動くことを防止できる。
【００４８】
また、本実施形態のように、光配線部材１Ｂは、移動制限部５５，５６にそれぞれ近接する位置にてスライド部５１，５２を係止するラッチ機構を更に備えてもよい。或いは、光配線部材１Ｂは、移動制限部５５，５６にそれぞれ近接する位置にてスライド部５１，５２を吸着する吸着部を更に備えてもよい。例えばこれらのうち何れかの構成によって、スライド部５１，５２が開口１３ｂ，１４ｂ側にそれぞれ移動した状態を維持し、スライド部５１，５２が意図せず動くことを防止できる。従って、外部装置のボード６０に実装された被接続部６１，６２に多心光コネクタ４１，４２をそれぞれ接続する際の作業性を向上することができる。
【００４９】
以上、本発明の実施の形態について図面を参照して詳述したが、具体的な構成はこの実施形態に限られるものではない。例えば、上記各実施形態では筐体１０の開口１３ｂ，１４ｂが互いに対向するように設けられる例を示したが、これに限定されない。例えば、開口１３ｂ，１４ｂは、筐体１０における互いに直交する壁面にそれぞれ形成されてもよい。また、上記各実施形態では、光ファイバテープ心線３１及び３２が互いに同数（Ｍ＝Ｎ）である例を示したが、これに限定されず、光ファイバテープ心線３１及び３２の数は互いに異なっていてもよい。更に、光ファイバテープ心線３１と多心光コネクタ４１の数は互いに異なっても良く、光ファイバテープ心線３２と多心光コネクタ４２の数は互いに異なっても良く、多心光コネクタ４１、４２の光ファイバの心数は、それぞれ異なっていてもよい。
【符号の説明】
【００５０】
１Ａ，１Ｂ…光配線部材、１０…筐体、１１…底板、１１ａ…内面、１２…天板、１２ａ…内面、１３，１４…端壁、１３ａ，１４ａ…内面、１３ｂ，１４ｂ…開口、１５，１６…側壁、１５ａ，１６ａ…内面、２０…光導波路（光ファイバ）、２３，２５…集約端部、３１，３２…光ファイバテープ心線、４１，４２…多心光コネクタ、５１，５２…スライド部、５３，５４，５５，５６…移動制限部、６０…ボード、６１，６２…被接続部、Ｓ…内部空間、Ｓ１…配線部、Ｓ２，Ｓ３…弛み収納領域、Ｓａ，Ｓｂ…縁部。
【図１】
2019066768.tif 000003
【図２】
2019066768.tif 000004
【図３】
2019066768.tif 000005
【図４】
2019066768.tif 000006
【図５】
2019066768.tif 000007
【図６】
2019066768.tif 000008
【図７】
2019066768.tif 000009